(57)【要約】【課題】野生動物の捕獲成果を報告する際に、不正な報告が行われることを抑制することが可能な捕獲成果報告端末を提供する。【解決手段】この捕獲成果報告端末１は、捕獲作業者Ｏの野生動物Ｗの捕獲成果を報告するための捕獲成果報告端末１であって、捕獲個体Ｗを撮像する撮像部１２と、情報管理装置と通信する通信部１３と、時刻情報および位置情報のうちの少なくともいずれか一方と、撮像部１２による捕獲個体Ｗの画像とを関連付けた報告情報Ｒを改ざんできない方法で保存し、通信部１３を介して情報管理装置２に送信する制御部１７と、を備える。【選択図】図１
2019066992.tif 000002
【特許請求の範囲】
【請求項１】
捕獲作業者の野生動物の捕獲成果を報告するための捕獲成果報告端末であって、
捕獲個体を撮像する撮像部と、
情報管理装置と通信する通信部と、
時刻情報および位置情報のうちの少なくともいずれか一方と、前記撮像部による前記捕獲個体の画像とを関連付けた報告情報を改ざんできない方法で保存し、前記通信部を介して前記情報管理装置に送信する制御部と、を備える、捕獲成果報告端末。
【請求項２】
前記制御部は、前記捕獲作業者の捕獲作業開始時刻および前記捕獲作業者の捕獲作業終了時刻を改ざんできない方法で保存し、前記情報管理装置に送信するように構成されている、請求項１に記載の捕獲成果報告端末。
【請求項３】
前記制御部は、前記捕獲作業者の捕獲作業開始からの移動軌跡を改ざんできない方法で保存し、前記情報管理装置に送信するように構成されている、請求項１または２に記載の捕獲成果報告端末。
【請求項４】
前記制御部は、前記情報管理装置と通信可能と判断された場合に、改ざんできない方法で保存された情報を、前記情報管理装置に送信するように構成されている、請求項１〜３のいずれか１項に記載の捕獲成果報告端末。
【請求項５】
前記制御部は、前記捕獲個体の画像に対して画像分析を行うことにより、前記捕獲個体の画像中から前記捕獲個体の全体かまたは前記捕獲個体の特定部位を認識し、認識された前記捕獲個体の全体かまたは前記捕獲個体の特定部位における、形状、色調、明るさ、コントラスト、解像度、鮮明度、ブレの大きさおよびピントのずれの大きさのうちの少なくともいずれか１つに基づいて、認識された前記捕獲個体の全体かまたは前記捕獲個体の特定部位が条件を満たしているか否かを判断するように構成されている、請求項１〜４のいずれか１項に記載の捕獲成果報告端末。
【請求項６】
前記制御部は、複数の前記捕獲個体の画像に基づいて、複数の前記捕獲個体の画像の各々の前記捕獲個体が、同じ個体であるか否かを判断するように構成されている、請求項１〜５のいずれか１項に記載の捕獲成果報告端末。
【請求項７】
前記捕獲個体の画像は、所定の処理を行う前の処理前画像と、前記所定の処理を行った後の処理後画像とを含み、
前記制御部は、前記処理前画像と前記処理後画像とに基づいて、前記処理前画像の前記捕獲個体と、前記処理後画像の前記捕獲個体とが、同じ個体であるか否かを判断するように構成されている、請求項１〜６のいずれか１項に記載の捕獲成果報告端末。
【請求項８】
前記制御部は、前記処理前画像中に指示された部位が写っているか否かに基づいて、前記処理前画像が有効であるか否かを判断するように構成されている、請求項７に記載の捕獲成果報告端末。
【請求項９】
前記制御部は、前記処理後画像中に指示された前記所定の処理が行われた部分が写っているか否かに基づいて、前記処理後画像が有効であるか否かを判断するように構成されている、請求項７または８に記載の捕獲成果報告端末。
【請求項１０】
前記制御部は、前記処理前画像が取得された時刻および前記処理後画像が取得された時刻に基づいて、前記処理前画像および前記処理後画像が有効であるか否かを判断するように構成されている、請求項７〜９のいずれか１項に記載の捕獲成果報告端末。
【請求項１１】
前記制御部は、前記処理前画像が取得された位置および前記処理後画像が取得された位置に基づいて、前記処理前画像および前記処理後画像が有効であるか否かを判断するように構成されている、請求項７〜１０のいずれか１項に記載の捕獲成果報告端末。
【請求項１２】
前記制御部は、所定の処理を行う動画を、改ざんできない方法で保存し、前記情報管理装置に送信するように構成されている、請求項１〜１１のいずれか１項に記載の捕獲成果報告端末。
【請求項１３】
情報管理装置と、
捕獲作業者の野生動物の捕獲成果を報告するための捕獲成果報告端末と、を備え、
前記捕獲成果報告端末は、
捕獲個体を撮像する撮像部と、
前記情報管理装置と通信する通信部と、
時刻情報および位置情報のうちの少なくともいずれか一方と、前記撮像部による前記捕獲個体の画像とを関連付けた報告情報を改ざんできない方法で保存し、前記通信部を介して前記情報管理装置に送信する制御部と、を含む、捕獲成果報告システム。
【請求項１４】
前記捕獲個体の画像は、所定の処理を行う前の処理前画像と、前記所定の処理を行った後の処理後画像とを含み、
前記情報管理装置および前記捕獲成果報告端末のうちの少なくともいずれか一方は、前記処理前画像と前記処理後画像とに基づいて、前記処理前画像の前記捕獲個体と、前記処理後画像の前記捕獲個体とが、同じ個体であるか否かを判断するように構成されている、請求項１３に記載の捕獲成果報告システム。
【請求項１５】
前記情報管理装置は、前記捕獲成果報告端末から受信した前記捕獲個体の画像に基づいて、過去の前記捕獲個体の画像から、類似度が高い前記捕獲個体の画像を抽出するように構成されている、請求項１３または１４に記載の捕獲成果報告システム。
【請求項１６】
捕獲作業者の野生動物の捕獲成果を報告するための捕獲成果報告方法であって、
捕獲個体を撮像するステップと、
時刻情報および位置情報のうちの少なくともいずれか一方と、前記捕獲個体の画像とを関連付けた報告情報を改ざんできない方法で保存し、情報管理装置に送信するステップと、を備える、捕獲成果報告方法。
【請求項１７】
コンピュータを、
捕獲作業者の野生動物の捕獲成果の報告において、時刻情報および位置情報のうちの少なくともいずれか一方と、捕獲個体の画像とを関連付けた報告情報を改ざんできない方法で保存し、情報管理装置に送信する制御手段として機能させるための捕獲成果報告プログラム。
【発明の詳細な説明】
【技術分野】
【０００１】
この発明は、捕獲成果報告端末、捕獲成果報告システム、捕獲成果報告方法および捕獲成果報告プログラムに関する。
【背景技術】
【０００２】
従来から、銃やわななどによる野生動物の捕獲が行われている。
【０００３】
非特許文献１には、捕獲された野生動物（捕獲個体）の報告方法が開示されている。この報告方法では、一例として、捕獲者は、捕獲個体全体と捕獲者が写った日付入りの写真を、都道府県または市町村の担当者に提出する。他の例として、捕獲者は、捕獲個体自体かまたは捕獲個体の特定の部位（尾や耳、牙など）を、都道府県または市町村の担当者に提出する。捕獲者には、捕獲個体の種類や数などに応じて、都道府県または市町村から、報奨金（交付金）が支給される。
【先行技術文献】
【非特許文献】
【０００４】
【非特許文献１】農林水産省、“鳥獣被害防止総合対策交付金実施要領の一部改正について”、第７０頁〜第７１頁「第２  事業の内容等」、[online]、［平成２９年７月６日検索］、インターネット〈URL:http://www.maff.go.jp/j/seisan/tyozyu/higai/attach/pdf/index-57.pdf〉
【発明の概要】
【発明が解決しようとする課題】
【０００５】
しかしながら、上記非特許文献１に記載された報告方法では、１頭の捕獲個体の写真を使い回して２頭捕獲したように見せかけて、報奨金をだまし取る不正な報告や、報奨金の支払対象外の個体の特定部位を報奨金の支払対象の個体の特定部位に見せかけて、報奨金をだまし取る不正な報告などが行われる場合があるという問題点があった。
【０００６】
この発明は、上記のような課題を解決するためになされたものであり、この発明の１つの目的は、野生動物の捕獲成果を報告する際に、不正な報告が行われることを抑制することが可能な捕獲成果報告端末、捕獲成果報告システム、捕獲成果報告方法および捕獲成果報告プログラムを提供することである。
【課題を解決するための手段】
【０００７】
上記目的を達成するため、この発明の第１の局面による捕獲成果報告端末は、捕獲作業者の野生動物の捕獲成果を報告するための捕獲成果報告端末であって、捕獲個体を撮像する撮像部と、情報管理装置と通信する通信部と、時刻情報および位置情報のうちの少なくともいずれか一方と、撮像部による捕獲個体の画像とを関連付けた報告情報を改ざんできない方法で保存し、通信部を介して情報管理装置に送信する制御部と、を備える。なお、本明細書では、改ざんできない方法で保存するとは、情報を暗号化して保存する場合や、情報に改ざん検出信号を付加して保存する場合、情報を入れ替えできないように保存する場合などを含む広い概念である。
【０００８】
この発明の第１の局面による捕獲成果報告端末では、上記のように、時刻情報および位置情報のうちの少なくともいずれか一方と、撮像部による捕獲個体の画像とを関連付けた報告情報を改ざんできない方法で保存し、通信部を介して情報管理装置に送信する制御部を設ける。これにより、被報告者（たとえば、都道府県または市町村の担当者）は、捕獲個体の画像と関連付けられた時刻情報および位置情報のうちの少なくともいずれか一方に基づいて、捕獲個体の画像が捕獲個体を使い回しているものかどうかを容易に判断することができる。また、被報告者が捕獲個体の使い回しを容易に判断することができるので、捕獲作業者に不正を行うことを躊躇させる抑止効果が働く。それらの結果、野生動物の捕獲成果を報告する際に、捕獲個体を使い回した不正な報告が行われることを抑制することができる。また、報告情報を改ざんできない方法で保存することにより、捕獲作業者が報告情報の位置情報または時刻情報を改ざんすることがないまま報告情報を情報管理装置に送信することができるので、改ざんされていない位置情報または時間情報を含む報告情報を被報告者に報告することができる。その結果、被報告者は、改ざんされていない時刻情報および位置情報のうちの少なくともいずれか一方に基づいて、捕獲個体の画像が捕獲個体を使い回しているものかどうかを正確に判断することができる。これによっても、捕獲個体を使い回した不正な報告が行われることを抑制することができる。また、本発明の捕獲成果報告端末による報告方法によれば、捕獲個体の特定部位を被報告者に提出する必要が無く、捕獲個体の特定部位を用いた不正な報告が行われることを防止することができる。また、捕獲個体の特定部位を被報告者に提出する場合と異なり、被報告者が、腐敗するものである捕獲個体の特定部位の保管を行う必要が無い。この点においても、本発明の捕獲成果報告端末による報告方法は、非常に有効である。
【０００９】
上記第１の局面による捕獲成果報告端末において、好ましくは、制御部は、捕獲作業者の捕獲作業開始時刻および捕獲作業者の捕獲作業終了時刻を改ざんできない方法で保存し、情報管理装置に送信するように構成されている。このように構成すれば、被報告者は、捕獲作業開始時刻および捕獲作業終了時刻に基づいて、不正な報告が行われているか否かを判断することができる。たとえば、捕獲作業開始時刻から捕獲作業終了時刻までの捕獲作業時間が短いにも関わらず、捕獲個体の報告数が過度に多い場合、被報告者は、不正な報告が行われているのではないかと判断することができる。その結果、不正な報告が行われることを抑制することができる。
【００１０】
上記第１の局面による捕獲成果報告端末において、好ましくは、制御部は、捕獲作業者の捕獲作業開始からの移動軌跡を改ざんできない方法で保存し、情報管理装置に送信するように構成されている。このように構成すれば、被報告者は、捕獲作業者の移動軌跡に基づいて、不審な移動軌跡が無いかどうかを確認することができるので、不正な報告が行われているか否かを容易に判断することができる。その結果、不正な報告が行われることを抑制することができる。
【００１１】
上記第１の局面による捕獲成果報告端末において、好ましくは、制御部は、情報管理装置と通信可能と判断された場合に、改ざんできない方法で保存された情報を、情報管理装置に送信するように構成されている。このように構成すれば、捕獲作業者が通信できない山中などの捕獲作業場で捕獲作業を行っていたとしても、通信可能になれば、改ざんできない方法で保存された情報を迅速に情報管理装置に送信することができる。また、通信可能になれば、情報管理装置に自動で改ざんできない方法で保存された情報が送信されるので、捕獲作業者が手動で情報送信操作を行う必要が無く、利便性を向上させることができる。
【００１２】
上記第１の局面による捕獲成果報告端末において、好ましくは、制御部は、捕獲個体の画像に対して画像分析を行うことにより、捕獲個体の画像中から捕獲個体の全体かまたは捕獲個体の特定部位を認識し、認識された捕獲個体の全体かまたは捕獲個体の特定部位における、形状、色調、明るさ、コントラスト、解像度、鮮明度、ブレの大きさおよびピントのずれの大きさのうちの少なくともいずれか１つに基づいて、認識された捕獲個体の全体かまたは捕獲個体の特定部位が条件を満たしているか否かを判断するように構成されている。このように構成すれば、条件を満たした高精細な捕獲個体の画像を報告情報として被報告者に送信することができるので、被報告者は、条件を満たした高精細な捕獲個体の画像に基づいて、捕獲個体の画像が使い回ししているものかどうかをより精度良く判断することができる。また、被報告者が捕獲個体の使い回しを精度良く判断することができるので、捕獲作業者に不正を行うことを躊躇させる抑止効果がより効果的に働く。
【００１３】
上記第１の局面による捕獲成果報告端末において、好ましくは、制御部は、複数の捕獲個体の画像に基づいて、複数の捕獲個体の画像の各々の捕獲個体が、同じ個体であるか否かを判断するように構成されている。このように構成すれば、同じ個体であることを判別可能な程度に高精細な捕獲個体の画像を報告情報として被報告者に送信することができる。その結果、被報告者は、同じ個体であることを判別可能な程度に高精細な捕獲個体の画像に基づいて、捕獲個体の画像が使い回ししているものかどうかをより精度良く判断することができる。また、被報告者が捕獲個体の使い回しを精度良く判断することができるので、捕獲作業者に不正を行うことを躊躇させる抑止効果がより効果的に働く。
【００１４】
上記第１の局面による捕獲成果報告端末において、好ましくは、捕獲個体の画像は、所定の処理を行う前の処理前画像と、所定の処理を行った後の処理後画像とを含み、制御部は、処理前画像と処理後画像とに基づいて、処理前画像の捕獲個体と、処理後画像の捕獲個体とが、同じ個体であるか否かを判断するように構成されている。なお、本明細書では、所定の処理とは、たとえば、鼻や耳、尻尾などの捕獲個体の特定部位の切断、塗料による捕獲個体へのペイント、バーナによる捕獲個体への焼き付けなどである。ここで、捕獲個体に所定の処理を行えば、所定の処理が行われた捕獲個体を使い回しすることを抑制することができる。したがって、不正な報告を抑制するためには、捕獲個体に所定の処理を行うことが有効であるが、捕獲個体に所定の処理を行ったとしても、たとえばペイントの書き換えなどにより所定の処理をやり直して、捕獲個体を使い回す不正な報告が行われることが考えられる。そこで、上記のように、捕獲個体の画像が、所定の処理を行う前の処理前画像と、所定の処理を行った後の処理後画像とを含み、制御部を、処理前画像の捕獲個体と、処理後画像の捕獲個体とが、同じ個体であるか否かを判断するように構成すれば、捕獲個体の報告に同じ個体の処理前画像と処理後画像との両方が必要となるので、捕獲個体に所定の処理を行った場合に、たとえばペイントの書換えなどにより所定の処理をやり直して、捕獲個体を使い回す不正な報告が行われることを抑制することができる。また、捕獲成果報告端末において、処理前後の画像間における捕獲個体の同一性を照合する処理を行うことにより、捕獲個体の画像が送信された情報管理装置においても、捕獲成果報告端末と同様に、処理前後の画像間における捕獲個体の同一性を照合する処理が行われる可能性があることを捕獲作業者に示すことができるので、抑止効果を働かせることができる。
【００１５】
上記捕獲個体の画像が処理前画像と処理後画像とを含む構成において、好ましくは、制御部は、処理前画像中に指示された部位が写っているか否かに基づいて、処理前画像が有効であるか否かを判断するように構成されている。このように構成すれば、捕獲成果の確認に必要な指示された部位を含む処理前画像を確実に被報告者に報告することができるので、不正な報告が行われることを抑制することができる。
【００１６】
上記捕獲個体の画像が処理前画像と処理後画像とを含む構成において、好ましくは、制御部は、処理後画像中に指示された所定の処理が行われた部分が写っているか否かに基づいて、処理後画像が有効であるか否かを判断するように構成されている。このように構成すれば、捕獲作業者に所定の処理を正しく行わせることができるので、不正な報告が行われることを抑制することができる。
【００１７】
上記捕獲個体の画像が処理前画像と処理後画像とを含む構成において、好ましくは、制御部は、処理前画像が取得された時刻および処理後画像が取得された時刻に基づいて、処理前画像および処理後画像が有効であるか否かを判断するように構成されている。このように構成すれば、処理前画像が取得された時刻および処理後画像が取得された時刻に不審な点がある場合に、処理前画像および処理後画像を無効とすることができるので、不正な報告が行われることを抑制することができる。
【００１８】
上記捕獲個体の画像が処理前画像と処理後画像とを含む構成において、好ましくは、制御部は、処理前画像が取得された位置および処理後画像が取得された位置に基づいて、処理前画像および処理後画像が有効であるか否かを判断するように構成されている。このように構成すれば、処理前画像が取得された位置および処理後画像が取得された位置に不審な点がある場合に、処理前画像および処理後画像を無効とすることができるので、不正な報告が行われることを抑制することができる。
【００１９】
上記第１の局面による捕獲成果報告端末において、好ましくは、制御部は、所定の処理を行う動画を、改ざんできない方法で保存し、情報管理装置に送信するように構成されている。このように構成すれば、捕獲個体の報告に所定の処理を行う動画が必要となるので、捕獲個体に所定の処理を行った場合に、たとえばペイントの書換えなどにより所定の処理をやり直して、捕獲個体を使い回す不正な報告が行われることをより確実に抑制することができる。
【００２０】
この発明の第２の局面による捕獲成果報告システムは、情報管理装置と、捕獲作業者の野生動物の捕獲成果を報告するための捕獲成果報告端末と、を備え、捕獲成果報告端末は、捕獲個体を撮像する撮像部と、情報管理装置と通信する通信部と、時刻情報および位置情報のうちの少なくともいずれか一方と、撮像部による捕獲個体の画像とを関連付けた報告情報を改ざんできない方法で保存し、通信部を介して情報管理装置に送信する制御部と、を含む。
【００２１】
この発明の第２の局面による捕獲成果報告システムでは、捕獲成果報告端末に、時刻情報および位置情報のうちの少なくともいずれか一方と、撮像部による捕獲個体の画像とを関連付けた報告情報を改ざんできない方法で保存し、通信部を介して情報管理装置に送信する制御部を設ける。これにより、被報告者は、捕獲個体の画像と関連付けられた時刻情報および位置情報のうちの少なくともいずれか一方に基づいて、捕獲個体の画像が捕獲個体を使い回しているものかどうかを容易に判断することができる。また、被報告者が捕獲個体の使い回しを容易に判断することができるので、捕獲作業者に不正を行うことを躊躇させる抑止効果が働く。それらの結果、野生動物の捕獲成果を報告する際に、捕獲個体（捕獲された野生動物）を使い回した不正な報告が行われることを抑制することができる。また、報告情報を改ざんできない方法で保存することにより、捕獲作業者が報告情報の位置情報または時刻情報を改ざんすることがないまま報告情報を情報管理装置に送信することができるので、改ざんされていない位置情報または時間情報を含む報告情報を被報告者に報告することができる。その結果、被報告者は、改ざんされていない時刻情報および位置情報のうちの少なくともいずれか一方に基づいて、捕獲個体の画像が捕獲個体を使い回しているものかどうかを正確に判断することができる。これによっても、捕獲個体を使い回した不正な報告が行われることを抑制することができる。また、本発明の捕獲成果報告端末による報告方法によれば、捕獲個体の特定部位を被報告者に提出する必要が無く、捕獲個体の特定部位を用いた不正な報告が行われることを防止することができる。また、捕獲個体の特定部位を被報告者に提出する場合と異なり、被報告者が腐敗するものである捕獲個体の特定部位の保管を行う必要が無い。この点においても、本発明の捕獲成果報告端末による報告方法は、非常に有効である。
【００２２】
上記第２の局面による捕獲成果報告システムにおいて、好ましくは、捕獲個体の画像は、所定の処理を行う前の処理前画像と、所定の処理を行った後の処理後画像とを含み、情報管理装置および捕獲成果報告端末のうちの少なくともいずれか一方は、処理前画像と処理後画像とに基づいて、処理前画像の捕獲個体と、処理後画像の捕獲個体とが、同じ個体であるか否かを判断するように構成されている。このように構成すれば、捕獲個体の報告に同じ個体の処理前画像と処理後画像との両方が必要となるので、捕獲個体に所定の処理を行った場合に、たとえばペイントの書換えなどにより所定の処理をやり直して、捕獲個体を使い回す不正な報告が行われることを抑制することができる。また、捕獲成果報告端末において、処理前後の画像間における捕獲個体の同一性を照合する処理を行う場合、捕獲個体の画像が送信された情報管理装置においても、捕獲成果報告端末と同様に、処理前後の画像間における捕獲個体の同一性を照合する処理が行われる可能性があることを捕獲作業者に示すことができるので、抑止効果を働かせることができる。同様に、捕獲個体の画像が送信された情報管理装置において、処理前後の画像間における捕獲個体の同一性を照合する処理を行う場合、情報管理装置においてこの処理を行うことを捕獲作業者に予め知らせておくことにより、抑止効果を働かせることができる。
【００２３】
上記第２の局面による捕獲成果報告システムにおいて、好ましくは、情報管理装置は、捕獲成果報告端末から受信した捕獲個体の画像に基づいて、過去の捕獲個体の画像から、類似度が高い捕獲個体の画像を抽出するように構成されている。このように構成すれば、捕獲個体の画像が捕獲個体を使い回しているものである場合に、情報管理装置により、不正な報告が行われていることを検出することができる。その結果、被報告者は、情報管理装置の検出結果に基づいて、捕獲個体の画像が捕獲個体を使い回しているものかどうかをより容易に判断することができる。また、情報管理装置により、不正な報告が行われていることを検出することができるので、捕獲作業者に不正を行うことを躊躇させる抑止効果がより効果的に働く。
【００２４】
この発明の第３の局面による捕獲成果報告方法は、捕獲作業者の野生動物の捕獲成果を報告するための捕獲成果報告方法であって、捕獲個体を撮像するステップと、時刻情報および位置情報のうちの少なくともいずれか一方と、捕獲個体の画像とを関連付けた報告情報を改ざんできない方法で保存し、情報管理装置に送信するステップと、を備える。
【００２５】
この発明の第３の局面による捕獲成果報告方法では、上記のように、時刻情報および位置情報のうちの少なくともいずれか一方と、捕獲個体の画像とを関連付けた報告情報を改ざんできない方法で保存し、情報管理装置に送信するステップを設ける。これにより、被報告者は、捕獲個体の画像と関連付けられた時刻情報および位置情報のうちの少なくともいずれか一方に基づいて、捕獲個体の画像が捕獲個体を使い回しているものかどうかを容易に判断することができる。また、被報告者が捕獲個体の使い回しを容易に判断することができるので、捕獲作業者に不正を行うことを躊躇させる抑止効果が働く。それらの結果、野生動物の捕獲成果を報告する際に、捕獲個体を使い回した不正な報告が行われることを抑制することができる捕獲成果報告方法を提供することができる。また、報告情報を改ざんできない方法で保存することにより、捕獲作業者が報告情報の位置情報または時刻情報を改ざんすることがないまま報告情報を情報管理装置に送信することができるので、改ざんされていない位置情報または時間情報を含む報告情報を被報告者に報告することができる。その結果、被報告者は、改ざんされていない時刻情報および位置情報のうちの少なくともいずれか一方に基づいて、捕獲個体の画像が捕獲個体を使い回しているものかどうかを正確に判断することができる。これによっても、捕獲個体を使い回した不正な報告が行われることを抑制することができる捕獲成果報告方法を提供することができる。また、本発明の捕獲成果報告方法によれば、捕獲個体の特定部位を被報告者に提出する必要が無く、捕獲個体の特定部位を用いた不正な報告が行われることを防止することができる。また、捕獲個体の特定部位を被報告者に提出する場合と異なり、被報告者が腐敗するものである捕獲個体の特定部位の保管を行う必要が無い。この点においても、本発明の捕獲成果報告方法は、非常に有効である。
【００２６】
この発明の第４の局面による捕獲成果報告プログラムは、コンピュータを、捕獲作業者の野生動物の捕獲成果の報告において、時刻情報および位置情報のうちの少なくともいずれか一方と、捕獲個体の画像とを関連付けた報告情報を改ざんできない方法で保存し、情報管理装置に送信する制御手段として機能させる。
【００２７】
この発明の第４の局面による捕獲成果報告プログラムでは、上記のように、コンピュータが、捕獲作業者の野生動物の捕獲成果の報告において、時刻情報および位置情報のうちの少なくともいずれか一方と、捕獲個体の画像とを関連付けた報告情報を改ざんできない方法で保存し、情報管理装置に送信する制御手段として機能する。これにより、被報告者は、捕獲個体の画像と関連付けられた時刻情報および位置情報のうちの少なくともいずれか一方に基づいて、捕獲個体の画像が捕獲個体を使い回しているものかどうかを容易に判断することができる。また、被報告者が捕獲個体の使い回しを容易に判断することができるので、捕獲作業者に不正を行うことを躊躇させる抑止効果が働く。それらの結果、野生動物の捕獲成果を報告する際に、捕獲個体を使い回した不正な報告が行われることを抑制することができる捕獲成果報告プログラムを提供することができる。また、報告情報を改ざんできない方法で保存することにより、捕獲作業者が報告情報の位置情報または時刻情報を改ざんすることがないまま報告情報を情報管理装置に送信することができるので、改ざんされていない位置情報または時間情報を含む報告情報を被報告者に報告することができる。その結果、被報告者は、改ざんされていない時刻情報および位置情報のうちの少なくともいずれか一方に基づいて、捕獲個体の画像が捕獲個体を使い回しているものかどうかを正確に判断することができる。これによっても、捕獲個体を使い回した不正な報告が行われることを抑制することができる捕獲成果報告プログラムを提供することができる。また、本発明の捕獲成果報告プログラムによる報告方法によれば、捕獲個体の特定部位を被報告者に提出する必要が無く、捕獲個体の特定部位を用いた不正な報告が行われることを防止することができる。また、捕獲個体の特定部位を被報告者に提出する場合と異なり、被報告者が腐敗するものである捕獲個体の特定部位の保管を行う必要が無い。この点においても、本発明の捕獲成果報告プログラムによる報告方法は、非常に有効である。
【発明の効果】
【００２８】
本発明によれば、上記のように、野生動物の捕獲成果を報告する際に、不正な報告が行われることを抑制することができる。
【図面の簡単な説明】
【００２９】
【図１】本発明の第１および第２実施形態による捕獲成果報告システムを示した図である。
【図２】本発明の第１および第２実施形態による捕獲成果報告端末を示したブロック図である。
【図３】本発明の第１実施形態による情報管理装置を示したブロック図である。
【図４】本発明の第１実施形態による捕獲成果報告端末の操作画面の一例を示した図である。
【図５】本発明の第１実施形態による捕獲成果報告端末の操作画面の一例を示した図である。
【図６】本発明の第１実施形態による捕獲成果報告端末の操作画面の一例を示した図である。
【図７】本発明の第２実施形態による情報管理装置を示したブロック図である。
【発明を実施するための形態】
【００３０】
以下、本発明を具体化した実施形態を図面に基づいて説明する。
【００３１】
［第１実施形態］
（捕獲成果報告システムの構成）
まず、図１を参照して、本発明の第１実施形態による捕獲成果報告システム１００の構成について説明する。
【００３２】
本発明の第１実施形態による捕獲成果報告システム１００は、捕獲作業者Ｏの野生動物Ｗの捕獲成果を被報告者Ｃに報告するためのシステムである。捕獲作業者Ｏは、山中などの捕獲作業場Ｆにおいて、銃やわななどにより野生動物Ｗ（シカやイノシシなど）を捕獲する者である。また、被報告者Ｃは、たとえば、都道府県または市町村の担当者である。
【００３３】
図１に示すように、捕獲成果報告システム１００は、捕獲成果の報告を送信するための捕獲成果報告端末１と、捕獲成果の報告を受信するための情報管理装置２とを備えている。なお、捕獲成果報告端末１は、特許請求の範囲の「コンピュータ」の一例である。
【００３４】
捕獲成果報告端末１は、捕獲作業者Ｏが利用する端末である。捕獲成果報告端末１は、携帯型の端末であり、捕獲作業者Ｏが携帯して捕獲作業場Ｆに持ち運ぶことが可能なように構成されている。捕獲成果報告端末１は、たとえば、スマートフォンなどの電子機器である。
【００３５】
情報管理装置２は、被報告者Ｃが利用する装置である。情報管理装置２は、たとえば、都道府県または市町村の被報告者Ｃが勤務する建屋に配置されている。捕獲成果報告端末１および情報管理装置２は、インターネットなどのネットワーク３を介して互いに通信可能に接続されている。
【００３６】
（捕獲成果報告端末の構成）
図１および図２に示すように、捕獲成果報告端末１は、表示部１１と、撮像部１２と、通信部１３と、位置情報取得部１４と、時刻情報取得部１５と、記憶部１６と、制御部１７とを含んでいる。
【００３７】
表示部１１は、たとえば液晶モニタであり、情報を表示可能に構成されている。表示部１１には、後述する各種の操作画面（図４〜図６参照）が表示される。
【００３８】
撮像部１２は、撮像素子と照明部とを有するカメラであり、捕獲作業者Ｏにより捕獲された個体としての野生動物Ｗ（以下、「捕獲個体Ｗ」という）を撮像するために用いられる。撮像部１２は、静止画および動画の両方を記録可能に構成されている。
【００３９】
通信部１３は、無線通信用のインターフェースであり、ネットワーク３を介して、情報管理装置２と通信するように構成されている。捕獲成果報告端末１は、通信部１３を介して、後述する報告情報Ｒなどを情報管理装置２に送信するように構成されている。
【００４０】
位置情報取得部１４は、捕獲成果報告端末１の現在の位置情報を取得するとともに、取得された位置情報を制御部１７に出力するように構成されていている。捕獲成果報告端末１の現在の位置情報は、捕獲成果報告端末１が位置する緯度および経度の情報を含んでいる。
【００４１】
時刻情報取得部１５は、現在の時刻情報を取得するとともに、取得された時刻情報を制御部１７に出力するように構成されている。位置情報取得部１４および時刻情報取得部１５は、たとえば、ＧＰＳ（Ｇｌｏｂａｌ Ｐｏｓｉｔｉｏｎｉｎｇ Ｓｙｓｔｅｍ）受信機により構成されている。
【００４２】
記憶部１６は、たとえばフラッシュメモリを含む記憶媒体であり、情報を記憶（保存）可能に構成されている。記憶部１６には、捕獲成果報告プログラム（アプリケーション）１６ａなどの制御部１７に実行させる複数のコンピュータプログラムがインストールされている。捕獲成果報告プログラム１６ａは、たとえば、ＵＳＢ（Ｕｎｉｖｅｒｓａｌ Ｓｅｒｉａｌ Ｂｕｓ）メモリなどの可搬型記憶媒体から読み出すか、または、ネットワーク３を介してダウンロードすることにより、記憶部１６に保存することが可能である。また、記憶部１６には、後述する報告情報Ｒなどの情報管理装置２に送信される情報が記憶される。
【００４３】
制御部１７は、たとえばＣＰＵ（Ｃｅｎｔｒａｌ  Ｐｒｏｃｅｓｓｉｎｇ  Ｕｎｉｔ）を含む制御回路であり、捕獲成果報告端末１の各部を制御可能に構成されている。第１実施形態では、制御部１７は、捕獲成果報告プログラム１６ａを実行することにより、捕獲成果報告処理を実行する制御手段１７ａとして機能する。
【００４４】
（捕獲成果報告処理に関する捕獲成果報告端末の構成）
〈報告情報の送信に関する構成〉
捕獲成果報告システム１００では、捕獲作業中に野生動物Ｗを捕獲して捕獲成果を報告する場合、捕獲作業者Ｏは、捕獲成果報告端末１の撮像部１２により、捕獲個体（捕獲した野生動物）Ｗを撮像して、捕獲個体Ｗの静止画を記録する。
【００４５】
捕獲個体Ｗが撮像された場合、制御部１７は、位置情報取得部１４から、捕獲成果報告端末１の現在の位置情報を取得するとともに、時刻情報取得部１５から、現在の時刻情報を取得するように構成されている。つまり、制御部１７は、捕獲個体Ｗが撮像された時刻を示す時刻情報および捕獲個体Ｗが撮像された位置を示す位置情報を取得するように構成されている。また、制御部１７は、記憶部１６から、作業者を識別するための作業者情報（作業者ＩＤ）および端末を識別するための端末情報（端末ＩＤ）を取得するように構成されている。作業者情報および端末情報は、予め記憶部１６に保存されている。
【００４６】
第１実施形態では、制御部１７は、取得された時刻情報、位置情報、作業者情報および端末情報と、撮像部１２による捕獲個体Ｗの画像（静止画）とを関連付けた情報を、報告情報Ｒとして改ざんできない方法で記憶部１６に保存する制御を行うように構成されている。また、制御部１７は、記憶部１６に保存された報告情報Ｒを、通信部１３を介して情報管理装置２に送信する制御を行うように構成されている。ここで、改ざんできない方法で保存するとは、たとえば、情報を暗号化して保存することや、情報に改ざん検出信号を付加して保存することなどである。
【００４７】
〈捕獲作業開始時刻および捕獲作業終了時刻の送信に関する構成〉
また、捕獲成果報告システム１００では、捕獲作業場Ｆにおいて捕獲作業を開始する場合、捕獲作業者Ｏは、捕獲成果報告端末１を操作して、捕獲作業の開始操作を行う。また、捕獲作業場Ｆにおいて捕獲作業を終了する場合、捕獲作業者Ｏは、捕獲成果報告端末１を操作して、捕獲作業の終了操作を行う。
【００４８】
制御部１７は、捕獲作業者Ｏによる捕獲作業の開始操作が行われた場合、捕獲作業の開始操作が行われた時刻を、捕獲作業者Ｏの捕獲作業開始時刻として取得するように構成されている。また、制御部１７は、捕獲作業者Ｏによる捕獲作業の終了操作が行われた場合、捕獲作業の終了操作が行われた時刻を、捕獲作業者Ｏの捕獲作業終了時刻として取得するように構成されている。
【００４９】
第１実施形態では、制御部１７は、取得された捕獲作業者Ｏの捕獲作業開始時刻および捕獲作業者Ｏの捕獲作業終了時刻を改ざんできない方法で記憶部１６に保存し、情報管理装置２に送信する制御を行うように構成されている。
【００５０】
〈移動軌跡の送信に関する構成〉
制御部１７は、捕獲作業者Ｏの捕獲作業中に、位置情報取得部１４および時刻情報取得部１５のそれぞれから、捕獲作業中の位置情報および時刻情報を順次取得することにより、各位置における時刻情報を含む、捕獲作業者Ｏの捕獲作業開始からの移動軌跡を取得するように構成されている。
【００５１】
第１実施形態では、制御部１７は、取得された移動軌跡を改ざんできない方法で記憶部１６に保存し、情報管理装置２に送信する制御を行うように構成されている。
【００５２】
〈送信タイミングに関する構成〉
制御部１７は、通信部１３の通信状態に基づいて、ネットワーク３に接続可能か否かを判断することにより、情報管理装置２と通信可能か否かを判断するように構成されている。
【００５３】
第１実施形態では、制御部１７は、情報管理装置２と通信可能と判断された場合に、改ざんできない方法で保存された情報（報告情報Ｒ、捕獲作業開始時刻、捕獲作業終了時刻および移動軌跡など）を、情報管理装置２に送信する制御を行うように構成されている。また、制御部１７は、情報管理装置２と通信できないと判断された場合、改ざんできない方法で保存された情報を、情報管理装置２に送信する制御を行わないように構成されている。
【００５４】
〈捕獲個体の画像の有効性の判断に関する構成〉
第１実施形態では、制御部１７は、捕獲個体Ｗの画像に対して画像分析を行うことにより、捕獲個体Ｗの画像中から捕獲個体Ｗの全体かまたは捕獲個体Ｗの特定部位（たとえば、頭部や手足、目、耳、鼻、口腔、歯など）を認識し、認識された捕獲個体Ｗの全体かまたは捕獲個体Ｗの特定部位における、形状、色調、明るさ、コントラスト、解像度、鮮明度、ブレの大きさおよびピントのずれの大きさのうちの少なくともいずれか１つに基づいて、認識された捕獲個体Ｗの全体かまたは捕獲個体Ｗの特定部位が条件を満たしているか否かを判断するように構成されている。
【００５５】
具体的には、制御部１７は、認識された捕獲個体Ｗの全体かまたは捕獲個体Ｗの特定部位における、明るさ（コントラスト、解像度、鮮明度、ブレの大きさまたはピントのずれの大きさ）が予め決められたしきい値以上であると判断される場合、認識された捕獲個体Ｗの全体かまたは捕獲個体Ｗの特定部位が条件を満たしていると判断するように構成されている。また、制御部１７は、認識された捕獲個体Ｗの全体かまたは捕獲個体Ｗの特定部位における、形状が予め決められた基準形状情報（たとえば、目やまつ毛などの捕獲個体Ｗの一部の基準形状を示す情報）と対応（略一致）する場合、認識された捕獲個体Ｗの全体かまたは捕獲個体Ｗの特定部位が条件を満たしていると判断するように構成されている。また、制御部１７は、認識された捕獲個体Ｗの全体かまたは捕獲個体Ｗの特定部位における、色調が予め決められた色の組み合わせを有する場合か、または、色調が予め決められたしきい値以上であると判断される場合のうちの少なくともいずれか一方の場合、認識された捕獲個体Ｗの全体かまたは捕獲個体Ｗの特定部位が条件を満たしていると判断するように構成されている。また、制御部１７は、認識された捕獲個体Ｗの全体かまたは捕獲個体Ｗの特定部位が条件を満たしていると判断される場合、画像分析を行った捕獲個体Ｗの画像を報告情報Ｒ用の画像として採用するように構成されている。
【００５６】
また、制御部１７は、認識された捕獲個体Ｗの全体かまたは捕獲個体Ｗの特定部位における、明るさ（コントラスト、解像度、鮮明度、ブレの大きさまたはピントのずれの大きさ）が予め決められたしきい値未満であると判断される場合、認識された捕獲個体Ｗの全体かまたは捕獲個体Ｗの特定部位が条件を満たしていないと判断するように構成されている。また、制御部１７は、認識された捕獲個体Ｗの全体かまたは捕獲個体Ｗの特定部位における、形状が予め決められた基準形状情報と対応（略一致）しない場合、認識された捕獲個体Ｗの全体かまたは捕獲個体Ｗの特定部位が条件を満たしていないと判断するように構成されている。また、制御部１７は、認識された捕獲個体Ｗの全体かまたは捕獲個体Ｗの特定部位における、色調が予め決められた色の組み合わせを有しない場合か、または、色調が予め決められたしきい値未満であると判断される場合のうちの少なくともいずれか一方の場合、認識された捕獲個体Ｗの全体かまたは捕獲個体Ｗの特定部位が条件を満たしていないと判断するように構成されている。また、制御部１７は、認識された捕獲個体Ｗの全体かまたは捕獲個体Ｗの特定部位が条件を満たしていないと判断される場合、画像分析を行った捕獲個体Ｗの画像を報告情報Ｒ用の画像として採用しないように構成されている。この場合、制御部１７は、捕獲作業者Ｏに捕獲個体Ｗの撮りなおしを通知する制御を行うように構成されている。
【００５７】
また、捕獲成果報告システム１００では、捕獲作業中に野生動物Ｗを捕獲して捕獲成果を報告する場合、捕獲作業者Ｏは、捕獲成果報告端末１の撮像部１２により、捕獲個体（捕獲した野生動物）Ｗを撮像条件（たとえば、捕獲個体Ｗを撮像する角度や明るさなど）を変えて複数回撮像する。なお、後述するように、捕獲作業者Ｏは、捕獲個体Ｗに所定の処理を行うが、所定の処理を行う前の捕獲個体Ｗを撮像条件を変えて複数回撮像するようにしてもよいし、所定の処理を行った後の捕獲個体Ｗを撮像条件を変えて複数回撮像してもよい。あるいは、所定の処理を行う前の捕獲個体Ｗおよび所定の処理を行った後の捕獲個体Ｗのそれぞれを撮像条件を変えて複数回撮像するようにしてもよい。
【００５８】
第１実施形態では、制御部１７は、撮像条件が互いに異なる複数の捕獲個体Ｗの画像に基づいて、複数の捕獲個体Ｗの画像の各々の捕獲個体Ｗが、同じ個体であるか否かを判断するように構成されている。具体的には、制御部１７は、画像分析により、複数の捕獲個体Ｗの画像の各々の捕獲個体Ｗが、同じ個体であるか否かを判断するように構成されている。また、制御部１７は、複数の捕獲個体Ｗの画像の各々の捕獲個体Ｗが、同じ個体であると判断される場合、画像分析を行った複数の捕獲個体Ｗの画像のうちの少なくともいずれか１つを報告情報Ｒ用の画像として採用するように構成されている。また、制御部１７は、複数の捕獲個体Ｗの画像の各々の捕獲個体Ｗが、同じ個体ではないと判断される場合、画像分析を行った複数の捕獲個体Ｗの画像を報告情報Ｒ用の画像として採用しないように構成されている。この場合、制御部１７は、捕獲作業者Ｏに捕獲個体Ｗの撮りなおしを通知する制御を行うように構成されている。
【００５９】
〈所定の処理に関する構成〉
また、捕獲成果報告システム１００では、捕獲作業中に野生動物Ｗを捕獲して捕獲成果を報告する場合、捕獲作業者Ｏは、捕獲個体（捕獲した野生動物）Ｗに所定の処理を行う。ここで、所定の処理とは、たとえば、鼻や耳、尻尾などの捕獲個体Ｗの特定部位の切断、塗料による捕獲個体Ｗへのペイント、バーナによる捕獲個体Ｗへの焼き付けなどの復元が困難な処理である。また、捕獲作業者Ｏは、捕獲成果報告端末１の撮像部１２により、所定の処理を行う前の捕獲個体Ｗおよび所定の処理を行った後の捕獲個体Ｗの両方を撮像する。
【００６０】
したがって、制御部１７は、所定の処理を行う前の捕獲個体Ｗの画像である処理前画像Ｒ１および所定の処理を行った後の捕獲個体Ｗの画像である処理後画像Ｒ２のそれぞれについて、時刻情報、位置情報、作業者情報および端末情報を関連付けた情報を、報告情報Ｒとして改ざんできない方法で記憶部１６に保存し、情報管理装置２に送信する制御を行うように構成されている。
【００６１】
〈処理前画像および処理後画像の有効性の判断に関する構成〉
第１実施形態では、制御部１７は、処理前画像Ｒ１と処理後画像Ｒ２とに基づいて、画像認識処理により、処理前画像Ｒ１の捕獲個体Ｗと、処理後画像Ｒ２の捕獲個体Ｗとが、同じ個体であるか否かを判断するように構成されている。また、制御部１７は、同じ個体であると判断される場合には、処理前画像Ｒ１と処理後画像Ｒ２とが有効であると判断するように構成されている。また、制御部１７は、同じ個体ではないと判断される場合には、処理前画像Ｒ１と処理後画像Ｒ２とが無効であると判断するように構成されている。つまり、制御部１７は、処理前後の画像間における捕獲個体Ｗの同一性を照合する処理を行うように構成されている。なお、処理前画像Ｒ１および処理後画像Ｒ２は、同一性を照合する処理を容易化するように、略同じ角度、略同じ大きさで捕獲個体Ｗが写り込んだ画像である。
【００６２】
また、捕獲成果報告端末１は、画像認識処理による、捕獲個体Ｗの同一性を照合する処理の精度を設定可能なように構成されている。具体的には、捕獲成果報告端末１は、情報管理装置２から送信される設定情報に基づいて、捕獲個体Ｗの同一性を照合する処理の精度を設定可能に構成されている。これにより、情報管理装置２を利用する被報告者Ｃは、捕獲成果報告端末１による捕獲個体Ｗの同一性を照合する処理をどの程度の水準で行うかを設定することが可能である。
【００６３】
また、第１実施形態では、制御部１７は、処理前画像Ｒ１中に指示された部位（たとえば、捕獲個体Ｗの頭部）が写っているか否かに基づいて、処理前画像Ｒ１が有効であるか否かを判断するように構成されている。具体的には、制御部１７は、処理前画像Ｒ１中に指示された部位が写っていると判断される場合に、処理前画像Ｒ１が有効であると判断するように構成されている。また、制御部１７は、処理前画像Ｒ１中に指示された部位が写っていないと判断される場合に、処理前画像Ｒ１が無効であると判断するように構成されている。
【００６４】
なお、指示された部位とは、たとえば、所定の処理を行う前の捕獲個体Ｗを撮像する際に、捕獲成果報告端末１によりその場で指示された部位であってもよいし、事前に配布された書類などにより指示された部位であってもよい。
【００６５】
また、第１実施形態では、制御部１７は、処理後画像Ｒ２中に指示された所定の処理が行われた部分が写っているか否かに基づいて、処理後画像Ｒ２が有効であるか否かを判断するように構成されている。具体的には、制御部１７は、処理後画像Ｒ２中に指示された所定の処理が行われた部分が写っていると判断される場合に、処理後画像Ｒ２が有効であると判断するように構成されている。また、制御部１７は、処理後画像Ｒ２中に指示された所定の処理が行われた部分が写っていないと判断される場合に、処理後画像Ｒ２が無効であると判断するように構成されている。
【００６６】
なお、指示された所定の処理とは、たとえば、所定の処理を行う際に、捕獲成果報告端末１によりその場で指示された所定の処理であってもよいし、事前に配布された書類などにより指示された所定の処理であってもよい。
【００６７】
また、第１実施形態では、制御部１７は、処理前画像Ｒ１が取得された時刻および処理後画像Ｒ２が取得された時刻に基づいて、処理前画像Ｒ１および処理後画像Ｒ２が有効であるか否かを判断するように構成されている。
【００６８】
たとえば、制御部１７は、処理前画像Ｒ１が取得された時刻および処理後画像Ｒ２が取得された時刻が予め決められた対象時間内であるか否かに基づいて、処理前画像Ｒ１および処理後画像Ｒ２が有効であるか否かを判断する。この場合、制御部１７は、処理前画像Ｒ１が取得された時刻および処理後画像Ｒ２が取得された時刻が予め決められた対象時間内であると判断される場合に、処理前画像Ｒ１および処理後画像Ｒ２が有効であると判断する。また、制御部１７は、処理前画像Ｒ１が取得された時刻および処理後画像Ｒ２が取得された時刻が予め決められた対象時間外であると判断される場合に、処理前画像Ｒ１および処理後画像Ｒ２が無効であると判断する。対象時間は、たとえば、昼間や夜間などの予め決められた時間や、狩猟期間や有害捕獲期間などの予め決められた期間などであり、野生動物Ｗの捕獲を行うことが許可された時間である。これらの結果、対象時間外に捕獲された捕獲個体Ｗについては処理前画像Ｒ１および処理後画像Ｒ２を無効とすることができるので、不正な報告が行われることを抑制することが可能である。
【００６９】
また、たとえば、制御部１７は、処理前画像Ｒ１が取得された時刻から処理後画像Ｒ２が取得された時刻までの時間が予め決められた時間しきい値（たとえば、１５分）以上であるか否かに基づいて、処理前画像Ｒ１および処理後画像Ｒ２が有効であるか否かを判断する。この場合、制御部１７は、処理前画像Ｒ１が取得された時刻から処理後画像Ｒ２が取得された時刻までの時間が予め決められた時間しきい値よりも小さいと判断される場合に、処理前画像Ｒ１および処理後画像Ｒ２が有効であると判断する。また、制御部１７は、処理前画像Ｒ１が取得された時刻から処理後画像Ｒ２が取得された時刻までの時間が予め決められた時間しきい値以上であると判断される場合に、処理前画像Ｒ１および処理後画像Ｒ２が無効であると判断する。これらの結果、処理前画像Ｒ１の取得から処理後画像Ｒ２の取得までに過度に時間がかかり、捕獲作業者Ｏが不審な行動を行っていると考えられる場合に、処理前画像Ｒ１および処理後画像Ｒ２を無効とすることができるので、不正な報告が行われることを抑制することが可能である。
【００７０】
また、たとえば、制御部１７は、処理後画像Ｒ２が取得された時刻が処理前画像Ｒ１が取得された時刻よりも前であるか否かに基づいて、処理前画像Ｒ１および処理後画像Ｒ２が有効であるか否かを判断する。この場合、制御部１７は、処理後画像Ｒ２が取得された時刻が処理前画像Ｒ１が取得された時刻よりも後である場合に、処理前画像Ｒ１および処理後画像Ｒ２が有効であると判断する。また、制御部１７は、処理後画像Ｒ２が取得された時刻が処理前画像Ｒ１が取得された時刻よりも前である場合に、処理前画像Ｒ１および処理後画像Ｒ２が無効であると判断する。これらの結果、処理前画像Ｒ１の取得と処理後画像Ｒ２の取得との順番（時系列）が逆であり、捕獲作業者Ｏが不審な行動を行っていると考えられる場合に、処理前画像Ｒ１および処理後画像Ｒ２を無効とすることができるので、不正な報告が行われることを抑制することが可能である。
【００７１】
また、第１実施形態では、制御部１７は、処理前画像Ｒ１が取得された位置および処理後画像Ｒ２が取得された位置に基づいて、処理前画像Ｒ１および処理後画像Ｒ２が有効であるか否かを判断するように構成されている。
【００７２】
たとえば、制御部１７は、処理前画像Ｒ１が取得された位置と処理後画像Ｒ２が取得された位置との間の距離が予め決められた距離しきい値（たとえば、１００ｍ）以上であるか否かに基づいて、処理前画像Ｒ１および処理後画像Ｒ２が有効であるか否かを判断する。この場合、制御部１７は、処理前画像Ｒ１が取得された位置と処理後画像Ｒ２が取得された位置との間の距離が予め決められた距離しきい値よりも小さいと判断される場合に、処理前画像Ｒ１および処理後画像Ｒ２が有効であると判断する。また、制御部１７は、処理前画像Ｒ１が取得された位置と処理後画像Ｒ２が取得された位置との間の距離が予め決められた距離しきい値以上であると判断される場合に、処理前画像Ｒ１および処理後画像Ｒ２が無効であると判断する。これらの結果、処理前画像Ｒ１を取得した位置から過度に離れた位置で処理後画像Ｒ２の取得が行われ、捕獲作業者Ｏが不審な行動を行っていると考えられる場合に、処理前画像Ｒ１および処理後画像Ｒ２を無効とすることができるので、不正な報告が行われることを抑制することが可能である。
【００７３】
また、たとえば、制御部１７は、処理前画像Ｒ１が取得された位置および処理後画像Ｒ２が取得された位置が予め決められた対象地域内であるか否かに基づいて、処理前画像Ｒ１および処理後画像Ｒ２が有効であるか否かを判断する。この場合、制御部１７は、処理前画像Ｒ１が取得された位置および処理後画像Ｒ２が取得された位置が予め決められた対象地域内であると判断される場合に、処理前画像Ｒ１および処理後画像Ｒ２が有効であると判断する。また、制御部１７は、処理前画像Ｒ１が取得された位置および処理後画像Ｒ２が取得された位置が予め決められた対象地域外であると判断される場合に、処理前画像Ｒ１および処理後画像Ｒ２が無効であると判断する。対象地域は、たとえば、都道府県や市町村において捕獲許可地域として予め決められた地域である。これらの結果、対象地域外で捕獲された捕獲個体Ｗについては処理前画像Ｒ１および処理後画像Ｒ２を無効とすることができるので、不正な報告が行われることを抑制することが可能である。
【００７４】
なお、上記した画像が有効であるか否かを判断する各構成において、画像が無効であると判断された場合、制御部１７は、画像が無効であることを捕獲作業者Ｏに通知する制御を行うように構成されている。
【００７５】
〈所定の処理の動画に関する構成〉
また、捕獲成果報告システム１００では、捕獲作業中に野生動物Ｗを捕獲して捕獲成果を報告する場合、捕獲作業者Ｏは、捕獲成果報告端末１の撮像部１２により、捕獲個体（捕獲した野生動物）Ｗに所定の処理を行う動画を記録する。
【００７６】
第１実施形態では、制御部１７は、所定の処理を行う動画を、改ざんできない方法で保存し、情報管理装置２に送信するように構成されている。
【００７７】
（情報管理装置の構成）
図３に示すように、情報管理装置２は、通信部２１と、記憶部２２と、表示部２３と、制御部２４とを含んでいる。
【００７８】
通信部２１は、有線通信用かまたは無線通信用のインターフェースであり、ネットワーク３を介して、捕獲成果報告端末１と通信するように構成されている。情報管理装置２は、通信部２１を介して、捕獲成果報告端末１から、報告情報Ｒ、捕獲作業開始時刻、捕獲作業終了時刻および移動軌跡などの情報を受信するように構成されている。
【００７９】
記憶部２２は、たとえばハードディスクを含む記憶媒体であり、情報を記憶（保存）可能に構成されている。記憶部２２には、受信された報告情報Ｒ、捕獲作業開始時刻、捕獲作業終了時刻および移動軌跡などの情報が個別の捕獲作業毎に記憶される。
【００８０】
表示部２３は、たとえば液晶モニタであり、情報を表示可能に構成されている。情報管理装置２は、表示部２３に、記憶部２２に記憶された報告情報Ｒ、獲作業開始時刻、捕獲作業終了時刻および移動軌跡などの情報を個別の捕獲作業毎に表示させることが可能なように構成されている。
【００８１】
つまり、被報告者Ｃは、情報管理装置２により、個別の捕獲作業毎に、処理前画像Ｒ１、処理前画像Ｒ１が取得された時刻、位置、処理前画像Ｒ１を取得した作業者、端末、処理後画像Ｒ２、処理後画像Ｒ２が取得された時刻、位置、処理後画像Ｒ２を取得した作業者、端末、捕獲作業開始時刻、捕獲作業終了時刻および移動軌跡を確認することが可能である。
【００８２】
制御部２４は、たとえばＣＰＵを含む制御回路であり、情報管理装置２の各部を制御可能に構成されている。制御部２４は、受信した情報を記憶部２２に記憶させる制御や、記憶部２２に記憶された情報を表示部２３に表示させる制御などを行うように構成されている。また、制御部２４は、情報を受信した時刻を記憶部２２に記憶させる制御を行うように構成されている。
【００８３】
（捕獲成果の報告の具体例）
次に、図４〜図６を参照して、捕獲成果報告プログラム１６ａを用いた、捕獲成果の報告の具体例を説明する。以下の説明の各操作画面は、捕獲成果報告端末１の表示部１１に表示される。捕獲作業者Ｏは、順次表示される操作画面に従って、捕獲成果を報告する。
【００８４】
〈開始操作および終了操作〉
捕獲成果報告プログラム１６ａが実行されると、作業開始ボタン（図示せず）が表示される。捕獲作業を開始する場合、捕獲作業者Ｏは、作業開始ボタンを操作する。作業開始ボタンが操作されると、捕獲作業開始時刻が取得されるとともに、移動軌跡の取得（記録）が開始される。
【００８５】
また、捕獲作業を終了する場合、捕獲作業者Ｏは、作業終了ボタン（図示せず）を操作する。作業終了ボタンが操作されると、捕獲作業終了時刻が取得されるとともに、移動軌跡の取得（記録）が終了される。
【００８６】
〈所定の処理の前の操作〉
捕獲個体Ｗを捕獲した場合、捕獲作業者Ｏは、所定の操作を行う。所定の操作が行われると、図４に示すように、捕獲個体Ｗの特性を入力するための操作画面１８ａが表示される。
【００８７】
操作画面１８ａには、捕獲個体Ｗの性別を入力するための性別情報入力部、捕獲個体Ｗの年齢を入力するための年齢情報入力部および備考を入力するための備考情報入力部が表示されている。
【００８８】
捕獲作業者Ｏは、操作画面１８ａの性別情報入力部を操作して、捕獲個体Ｗの性別を入力し、操作画面１８ａの年齢情報入力部を操作して、捕獲個体Ｗの年齢を入力し、必要があれば操作画面１８ａの備考情報入力部に備考を入力する。
【００８９】
そして、捕獲個体Ｗを撮像するための操作画面１８ｂが表示される。
【００９０】
操作画面１８ｂは、捕獲個体Ｗの全体を撮像するための操作画面である。つまり、この説明の例では、処理前画像Ｒ１として、捕獲個体Ｗの全体の画像が取得される。なお、操作画面として、捕獲個体Ｗの特定部位を撮像するための操作画面が表示され、処理前画像Ｒ１として、捕獲個体Ｗの特定部位の画像が取得されてもよい。
【００９１】
操作画面１８ｂには、捕獲個体Ｗの全体を位置合わせするためのガイドフレーム、撮像部１２の視野に写り込んでいる画像および撮像部１２の撮像動作を行うためのシャッターボタンが表示されている。
【００９２】
捕獲作業者Ｏは、操作画面１８ｂのガイドフレームに捕獲個体Ｗの全体を位置合わせした状態で、操作画面１８ｂのシャッターボタンを操作する。操作画面１８ｂのシャッターボタンが操作されると、捕獲個体Ｗの全体が撮像部１２により撮像される。この結果、処理前画像Ｒ１が取得される。
【００９３】
撮像により取得された処理前画像Ｒ１が不明瞭な場合、捕獲作業者Ｏに撮りなおしを通知するための操作画面１８ｃが表示される。たとえば、処理前画像Ｒ１の捕獲個体Ｗの全体における、形状、色調、明るさ、コントラスト、解像度、鮮明度、ブレの大きさおよびピントのずれの大きさのうちの少なくともいずれか１つが条件を満たしていない場合、操作画面１８ｃが表示される。なお、撮像により取得された画像が不明瞭ではない場合、操作画面１８ｃは表示されない。たとえば、処理前画像Ｒ１の捕獲個体Ｗの全体における、形状、色調、明るさ、コントラスト、解像度、鮮明度、ブレの大きさおよびピントのずれの大きさのうちの少なくともいずれか１つが条件を満たしていない場合、操作画面１８ｃが表示されない。
【００９４】
また、撮像により取得された処理前画像Ｒ１に指示された部位（たとえば、頭部）が写っていない場合、取得された処理前画像Ｒ１が無効であることを捕獲作業者Ｏに通知する操作画面を表示してもよい。
【００９５】
また、撮像により取得された処理前画像Ｒ１に捕獲個体Ｗの全体が写っていない場合、取得された処理前画像Ｒ１が無効であることを捕獲作業者Ｏに通知する操作画面を表示してもよい。
【００９６】
操作画面１８ｃには、撮りなおしボタンおよびスキップボタンが表示されている。
【００９７】
捕獲個体Ｗを撮りなおす場合、捕獲作業者Ｏは、操作画面１８ｃの撮りなおしボタンを操作する。操作画面１８ｃの撮りなおしボタンが操作されると、操作画面１８ｂが再び表示される。
【００９８】
また、捕獲個体Ｗを撮りなおさない場合、捕獲作業者Ｏは、操作画面１８ｃのスキップボタンを操作する。操作画面１８ｃのスキップボタンが操作されるか、または、撮像により取得された処理前画像Ｒ１が不明瞭ではない場合、処理前画像Ｒ１を確定するための操作画面１８ｄが表示される。
【００９９】
操作画面１８ｄには、撮像により取得された処理前画像Ｒ１、撮りなおしボタンおよび次へボタンが表示されている。
【０１００】
撮像により取得された処理前画像Ｒ１ではよくない場合、捕獲作業者Ｏは、操作画面１８ｄの撮りなおしボタンを操作する。操作画面１８ｄの撮りなおしボタンが操作されると、操作画面１８ｂが再び表示される。
【０１０１】
また、撮像により取得された処理前画像Ｒ１でよい場合、捕獲作業者Ｏは、操作画面１８ｄの次へボタンを操作して、画像を確定する。操作画面１８ｄの次へボタンが操作されると、撮像により取得された処理前画像Ｒ１が、時刻情報、位置情報、作業者情報および端末情報と関連付けられて、改ざんできない方法で記憶部１６に保存される。
【０１０２】
また、操作画面１８ｄの次へボタンが操作されると、所定の処理が終了されることを待つ状態であることを通知するための操作画面１８ｅ（図５参照）が表示される。
【０１０３】
〈所定の処理の後の操作〉
図５に示すように、操作画面１８ｅには、次へボタンが表示されている。また、操作画面１８ｅには、復元できない処理の指示内容（たとえば、捕獲個体Ｗの尻尾を切断すること）が表示される。
【０１０４】
捕獲個体Ｗへの所定の処理が完了した場合、捕獲作業者Ｏは、操作画面１８ｅの次へボタンを操作する。操作画面１８ｅの次へボタンが操作されると、捕獲個体Ｗを撮像するための操作画面１８ｆが表示される。なお、操作画面１８ｅの次へボタンが操作されるまでの間に、捕獲個体Ｗの動画が記録される。
【０１０５】
操作画面１８ｆは、捕獲個体Ｗの全体を撮像するための操作画面である。処理前画像Ｒ１として捕獲個体Ｗの全体の画像が取得されている場合、操作画面１８ｆが表示される。操作画面１８ｆを表示する場合、処理後画像Ｒ２として、捕獲個体Ｗの全体の画像が取得される。なお、処理前画像Ｒ１として捕獲個体Ｗの特定部位の画像が取得されている場合、捕獲個体Ｗの特定部位を撮像するための操作画面が表示される。この操作画面を表示する場合、処理後画像Ｒ２として、捕獲個体Ｗの特定部位の画像が取得される。
【０１０６】
操作画面１８ｆには、捕獲個体Ｗの全体を位置合わせするためのガイドフレーム、撮像部１２の視野に写り込んでいる画像および撮像部１２の撮像動作を行うためのシャッターボタンが表示されている。
【０１０７】
捕獲作業者Ｏは、操作画面１８ｆのガイドフレームに捕獲個体Ｗの全体を位置合わせした状態で、操作画面１８ｆのシャッターボタンを操作する。操作画面１８ｆのシャッターボタンが操作されると、捕獲個体Ｗの全体が撮像部１２により撮像される。この結果、処理後画像Ｒ２が取得される。
【０１０８】
この場合にも、撮像により取得された処理後画像Ｒ２が不明瞭な場合、捕獲作業者Ｏに撮りなおしを通知するための操作画面１８ｃ（図４参照）が表示される。
【０１０９】
また、撮像により取得された処理後画像Ｒ２に指示された所定の処理が行われた部分（たとえば、捕獲個体Ｗの尻尾を切断した部分）が写っていない場合、取得された処理後画像Ｒ２が無効であることを捕獲作業者Ｏに通知する操作画面を表示してもよい。
【０１１０】
そして、処理後画像Ｒ２を確定するための操作画面１８ｇが表示される。
【０１１１】
操作画面１８ｇには、撮像により取得された処理後画像Ｒ２、撮りなおしボタンおよび次へボタンが表示されている。
【０１１２】
撮像により取得された処理後画像Ｒ２ではよくない場合、捕獲作業者Ｏは、操作画面１８ｇの撮りなおしボタンを操作する。操作画面１８ｇの撮りなおしボタンが操作されると、操作画面１８ｆが再び表示される。
【０１１３】
また、撮像により取得された処理後画像Ｒ２でよい場合、捕獲作業者Ｏは、操作画面１８ｇの次へボタンを操作して、画像を確定する。操作画面１８ｇの次へボタンが操作されると、撮像により取得された処理後画像Ｒ２が、時刻情報、位置情報、作業者情報および端末情報と関連付けられて、改ざんできない方法で記憶部１６に保存される。
【０１１４】
また、操作画面１８ｇの次へボタンが操作されると、処理前画像Ｒ１の捕獲個体Ｗと、処理後画像Ｒ２の捕獲個体Ｗとが、同じ個体であるか否かを判断する処理（処理前後の画像間における捕獲個体Ｗの同一性を照合する処理）中であることを通知するための操作画面１８ｈ（図６参照）が表示される。
【０１１５】
〈画像の照合〉
図６に示すように、操作画面１８ｈが表示された状態で、照合が完了すると、処理前後の画像間における捕獲個体Ｗの同一性が確認されたことを通知するための操作画面１８ｉか、または、処理前後の画像間における捕獲個体Ｗの同一性が確認されないことを通知するための操作画面１８ｊが表示される。
【０１１６】
つまり、操作画面１８ｉが表示される場合は、処理前画像Ｒ１の捕獲個体Ｗと処理後画像Ｒ２の捕獲個体Ｗとが同じ個体であると判断され、処理前画像Ｒ１と処理後画像Ｒ２とが有効であると判断される場合である。また、操作画面１８ｊが表示される場合は、処理前画像Ｒ１の捕獲個体Ｗと処理後画像Ｒ２の捕獲個体Ｗとが同じ個体ではないと判断され、処理前画像Ｒ１と処理後画像Ｒ２とが無効であると判断される場合である。
【０１１７】
また、処理前後の画像間における捕獲個体Ｗの同一性を照合する際に、処理前画像Ｒ１が取得された時刻および処理後画像Ｒ２が取得された時刻か、または、処理前画像Ｒ１が取得された位置および処理後画像Ｒ２が取得された位置に基づいて、処理前画像Ｒ１および処理後画像Ｒ２が有効であるか否かを判断してもよい。この場合、処理前画像Ｒ１および処理後画像Ｒ２が無効であると判断される場合、処理前画像Ｒ１およびＲ２が無効であることを捕獲作業者Ｏに通知する操作画面を表示してもよい。
【０１１８】
操作画面１８ｉには、メインメニューボタンが表示されている。
【０１１９】
操作画面１８ｉの同一性の照合結果を確認した場合、捕獲作業者Ｏは、操作画面１８ｉのメインメニューボタンを操作する。操作画面１８ｉのメインメニューボタンが操作されると、メインメニューを示す操作画面（図示せず）が表示される。
【０１２０】
操作画面１８ｊには、撮りなおしボタンが表示されている。
【０１２１】
操作画面１８ｊの同一性の照合結果を確認した場合、捕獲作業者Ｏは、操作画面１８ｊの撮りなおしボタンを操作する。操作画面１８ｊの撮りなおしボタンが操作されると、たとえば、操作画面１８ｆ（図５参照）が表示される。
【０１２２】
なお、捕獲成果報告プログラム１６ａを実行している間、適宜、情報管理装置２と通信可能か否かが判断されている。そして、情報管理装置２と通信可能と判断された場合に、改ざんできない方法で保存された情報が、情報管理装置２に適宜送信される。
【０１２３】
また、図４〜図６を参照した説明では、捕獲個体Ｗのみを撮像する例を示した。この例に限られず、捕獲個体Ｗとともに、捕獲個体Ｗを捕獲するのに用いたわなを撮像してもよい。捕獲個体Ｗとともに、スケールが計測可能な物体を撮像してもよい。また、捕獲個体Ｗとともに、捕獲作業者Ｏや、捕獲作業者Ｏが使用する銃の銃番号部分などの捕獲作業者Ｏ自体が識別できるものを撮像してもよい。また、捕獲個体Ｗとともに、捕獲個体Ｗを捕獲した周囲の状況が識別できるものを撮像してもよい。これらにより、被報告者Ｃは、報告された捕獲個体Ｗおよび捕獲個体Ｗとともに写されたものの画像に基づいて、より容易に、不正な報告が行われているか否かを判断することが可能である。
【０１２４】
（第１実施形態の効果）
第１実施形態では、以下のような効果を得ることができる。
【０１２５】
第１実施形態では、上記のように、時刻情報および位置情報と、撮像部１２による捕獲個体Ｗの画像とを関連付けた報告情報Ｒを改ざんできない方法で保存し、通信部１３を介して情報管理装置２に送信する制御部１７を設ける。これにより、被報告者Ｃ（たとえば、都道府県または市町村の担当者）は、捕獲個体Ｗの画像と関連付けられた時刻情報および位置情報に基づいて、捕獲個体Ｗの画像が捕獲個体Ｗを使い回しているものかどうかを容易に判断することができる。また、被報告者Ｃが捕獲個体Ｗの使い回しを容易に判断することができるので、捕獲作業者Ｏに不正を行うことを躊躇させる抑止効果が働く。それらの結果、野生動物Ｗの捕獲成果を報告する際に、捕獲個体（捕獲された野生動物）Ｗを使い回した不正な報告が行われることを抑制することができる。また、報告情報Ｒを改ざんできない方法で保存することにより、捕獲作業者Ｏが報告情報Ｒの位置情報または時刻情報を改ざんすることがないまま報告情報Ｒを情報管理装置２に送信することができるので、改ざんされていない位置情報または時間情報を含む報告情報Ｒを被報告者Ｃに報告することができる。その結果、被報告者Ｃは、改ざんされていない時刻情報および位置情報に基づいて、捕獲個体Ｗの画像が捕獲個体Ｗを使い回しているものかどうかを正確に判断することができる。これによっても、捕獲個体Ｗを使い回した不正な報告が行われることを抑制することができる。また、第１実施形態の捕獲成果報告端末１による報告方法によれば、捕獲個体Ｗの特定部位を被報告者Ｃに提出する必要が無く、捕獲個体Ｗの特定部位を用いた不正な報告が行われることを防止することができる。また、捕獲個体Ｗの特定部位を被報告者Ｃに提出する場合と異なり、被報告者Ｃが腐敗するものである捕獲個体Ｗの特定部位の保管を行う必要が無い。この点においても、第１実施形態の捕獲成果報告端末１による報告方法は、非常に有効である。
【０１２６】
また、捕獲成果報告システム１００では、報告情報Ｒが情報管理装置２に記憶され、不正な報告を行った場合の証拠として残すことができるので、捕獲作業者Ｏは不正な報告はしにくく、抑止効果を働かせることができる。また、報告情報Ｒが情報管理装置２に記憶されるので、被報告者Ｃは、疑わしい報告や捕獲成果報告端末１の誤操作が多い捕獲作業者Ｏを抽出して調査することができる。
【０１２７】
また、銃やわななどの捕獲方法によって、報奨金の単価が異なっている場合、単価が低い捕獲方法（たとえば、わな）により捕獲した捕獲個体Ｗを、単価が高い捕獲方法により捕獲した捕獲個体Ｗと見せかけて、報奨金をだまし取る不正な報告が行われる場合がある。これに対して、第１実施形態の捕獲成果報告端末１による報告方法では、捕獲個体Ｗの画像と関連付けられた時刻情報および位置情報や移動軌跡などに基づいて、被報告者Ｃは、捕獲作業者Ｏがいずれの捕獲方法で捕獲作業を行っているかを判断することができるので、このような不正な報告が行われることを抑制することもできる。
【０１２８】
また、交通事故や自然死などの捕獲作業者Ｏの捕獲作業以外の要因で死亡した個体を、捕獲作業により捕獲した捕獲個体Ｗと見せかけて、報奨金をだまし取る不正な報告が行われる場合がある。これに対して、第１実施形態の捕獲成果報告端末１による報告方法では、捕獲個体Ｗの画像と関連付けられた時刻情報および位置情報や移動軌跡などに基づいて、被報告者Ｃは、捕獲作業者Ｏが捕獲作業を行っているか否かを判断することができるので、このような不正な報告が行われることを抑制することもできる。
【０１２９】
また、わなにより複数頭の捕獲個体Ｗが捕獲されると、１頭の捕獲個体Ｗが捕獲された場合に比べて報奨金の単価が低く設定されている場合、１回で捕獲した複数頭の捕獲個体Ｗを、複数回の捕獲により捕獲したと見せかけて、報奨金をだまし取る不正な報告が行われる場合がある。これに対して、第１実施形態の捕獲成果報告端末１による報告方法では、捕獲個体Ｗの画像と関連付けられた時刻情報および位置情報や移動軌跡などに基づいて、被報告者Ｃは、報告された複数頭の捕獲個体Ｗが、１回で捕獲されたものであるかまたは複数回で捕獲されたものであるかを判断することができるので、このような不正な報告が行われることを抑制することもできる。
【０１３０】
また、第１実施形態では、上記のように、制御部１７を、捕獲作業者Ｏの捕獲作業開始時刻および捕獲作業者Ｏの捕獲作業終了時刻を改ざんできない方法で保存し、情報管理装置２に送信するように構成する。これにより、被報告者Ｃは、捕獲作業開始時刻および捕獲作業終了時刻に基づいて、不正な報告が行われているか否かを判断することができる。たとえば、捕獲作業開始時刻から捕獲作業終了時刻までの捕獲作業時間が短いにも関わらず、捕獲個体Ｗの報告数が過度に多い場合、被報告者Ｃは、不正な報告が行われているのではないかと判断することができる。その結果、不正な報告が行われることを抑制することができる。
【０１３１】
また、第１実施形態では、上記のように、制御部１７を、捕獲作業者Ｏの捕獲作業開始からの移動軌跡を改ざんできない方法で保存し、情報管理装置２に送信するように構成する。これにより、被報告者Ｃは、捕獲作業者Ｏの移動軌跡に基づいて、不審な移動軌跡が無いかどうかを確認することができるので、不正な報告が行われているか否かを容易に判断することができる。その結果、不正な報告が行われることを抑制することができる。
【０１３２】
また、第１実施形態では、上記のように、制御部１７を、情報管理装置２と通信可能と判断された場合に、改ざんできない方法で保存された情報を、情報管理装置２に送信するように構成する。これにより、捕獲作業者Ｏが通信できない山中などの捕獲作業場Ｆで捕獲作業を行っていたとしても、通信可能になれば、改ざんできない方法で保存された情報を迅速に情報管理装置２に送信することができる。また、通信可能になれば、情報管理装置２に自動で改ざんできない方法で保存された情報が送信されるので、捕獲作業者Ｏが手動で情報送信操作を行う必要が無く、利便性を向上させることができる。
【０１３３】
また、第１実施形態では、上記のように、制御部１７を、捕獲個体Ｗの画像に対して画像分析を行うことにより、捕獲個体Ｗの画像中から捕獲個体Ｗの全体かまたは捕獲個体Ｗの特定部位を認識し、認識された捕獲個体Ｗの全体かまたは捕獲個体Ｗの特定部位における、形状、色調、明るさ、コントラスト、解像度、鮮明度、ブレの大きさおよびピントのずれの大きさのうちの少なくともいずれか１つに基づいて、認識された捕獲個体Ｗの全体かまたは捕獲個体Ｗの特定部位が条件を満たしているか否かを判断するように構成する。これにより、条件を満たした高精細な捕獲個体Ｗの画像を報告情報として被報告者Ｃに送信することができるので、被報告者Ｃは、条件を満たした高精細な捕獲個体Ｗの画像に基づいて、捕獲個体Ｗの画像が使い回ししているものかどうかをより精度良く判断することができる。また、被報告者Ｃが捕獲個体Ｗの使い回しを精度良く判断することができるので、捕獲作業者Ｏに不正を行うことを躊躇させる抑止効果がより効果的に働く。
【０１３４】
また、第１実施形態では、上記のように、制御部１７を、複数の捕獲個体Ｗの画像に基づいて、複数の捕獲個体Ｗの画像の各々の捕獲個体Ｗが、同じ個体であるか否かを判断するように構成する。これにより、同じ個体であることを判別可能な程度に高精細な捕獲個体Ｗの画像を報告情報として被報告者Ｃに送信することができる。その結果、被報告者Ｃは、同じ個体であることを判別可能な程度に高精細な捕獲個体Ｗの画像に基づいて、捕獲個体Ｗの画像が使い回ししているものかどうかをより精度良く判断することができる。また、被報告者Ｃが捕獲個体Ｗの使い回しを精度良く判断することができるので、捕獲作業者Ｏに不正を行うことを躊躇させる抑止効果がより効果的に働く。
【０１３５】
また、第１実施形態では、上記のように、捕獲個体Ｗの画像は、所定の処理を行う前の処理前画像Ｒ１と、所定の処理を行った後の処理後画像Ｒ２とを含む。そして、制御部１７を、処理前画像Ｒ１と処理後画像Ｒ２とに基づいて、処理前画像Ｒ１の捕獲個体Ｗと、処理後画像Ｒ２の捕獲個体Ｗとが、同じ個体であるか否かを判断するように構成する。ここで、捕獲個体Ｗに所定の処理を行えば、所定の処理が行われた捕獲個体Ｗを使い回しすることを抑制することができる。したがって、不正な報告を抑制するためには、捕獲個体Ｗに所定の処理を行うことが有効であるが、捕獲個体Ｗに所定の処理を行ったとしても、たとえばペイントの書き換えなどにより所定の処理をやり直して、捕獲個体Ｗを使い回す不正な報告が行われることが考えられる。そこで、上記のように、捕獲個体Ｗの画像が、所定の処理を行う前の処理前画像Ｒ１と、所定の処理を行った後の処理後画像Ｒ２とを含み、制御部１７を、処理前画像Ｒ１の捕獲個体Ｗと、処理後画像Ｒ２の捕獲個体Ｗとが、同じ個体であるか否かを判断するように構成することにより、捕獲個体Ｗの報告に同じ個体の処理前画像Ｒ１と処理後画像Ｒ２との両方が必要となるので、捕獲個体Ｗに所定の処理を行った場合に、たとえばペイントの書換えなどにより所定の処理をやり直して、捕獲個体Ｗを使い回す不正な報告が行われることを抑制することができる。また、捕獲成果報告端末１において、処理前後の画像間における捕獲個体Ｗの同一性を照合する処理を行うことにより、捕獲個体Ｗの画像が送信された情報管理装置２においても、捕獲成果報告端末１と同様に、処理前後の画像間における捕獲個体Ｗの同一性を照合する処理が行われる可能性があることを捕獲作業者Ｏに示すことができるので、抑止効果を働かせることができる。
【０１３６】
また、第１実施形態では、上記のように、制御部１７を、処理前画像Ｒ１中に指示された部位が写っているか否かに基づいて、処理前画像Ｒ１が有効であるか否かを判断するように構成する。これにより、捕獲成果の確認に必要な指示された部位を含む処理前画像Ｒ１を確実に被報告者Ｃに報告することができるので、不正な報告が行われることを抑制することができる。
【０１３７】
また、第１実施形態では、上記のように、制御部１７を、処理後画像Ｒ２中に指示された所定の処理が行われた部分が写っているか否かに基づいて、処理後画像Ｒ２が有効であるか否かを判断するように構成する。これにより、捕獲作業者Ｏに所定の処理を正しく行わせることができるので、不正な報告が行われることを抑制することができる。
【０１３８】
また、第１実施形態では、上記のように、制御部１７を、処理前画像Ｒ１が取得された時刻および処理後画像Ｒ２が取得された時刻に基づいて、処理前画像Ｒ１および処理後画像Ｒ２が有効であるか否かを判断するように構成する。これにより、処理前画像Ｒ１が取得された時刻および処理後画像Ｒ２が取得された時刻に不審な点がある場合に、処理前画像Ｒ１および処理後画像Ｒ２を無効とすることができるので、不正な報告が行われることを抑制することができる。
【０１３９】
また、第１実施形態では、上記のように、制御部１７を、処理前画像Ｒ１が取得された位置および処理後画像Ｒ２が取得された位置に基づいて、処理前画像Ｒ１および処理後画像Ｒ２が有効であるか否かを判断するように構成する。これにより、処理前画像Ｒ１が取得された位置および処理後画像Ｒ２が取得された位置に不審な点がある場合に、処理前画像Ｒ１および処理後画像Ｒ２を無効とすることができるので、不正な報告が行われることを抑制することができる。
【０１４０】
また、第１実施形態では、上記のように、制御部１７を、所定の処理を行う動画を、改ざんできない方法で保存し、情報管理装置２に送信するように構成する。これにより、捕獲個体Ｗの報告に所定の処理を行う動画が必要となるので、捕獲個体Ｗに所定の処理を行った場合に、たとえばペイントの書換えなどにより所定の処理をやり直して、捕獲個体Ｗを使い回す不正な報告が行われることをより確実に抑制することができる。
【０１４１】
［第２実施形態］
次に、図１および図１０を参照して、第２実施形態について説明する。
【０１４２】
この第２実施形態では、捕獲成果報告端末で処理前画像の捕獲個体と処理後画像の捕獲個体とが同じ個体であるか否かを判断した上記第１実施形態に加えて、さらに情報管理装置で処理前画像の捕獲個体と処理後画像の捕獲個体とが同じ個体であるか否かを判断する例について説明する。なお、上記第１実施形態と同一の構成については、図中において同じ符号を付して図示し、その説明を省略する。
【０１４３】
（捕獲成果報告システムの構成）
本発明の第２実施形態による捕獲成果報告システム２００は、図１に示すように、情報管理装置１０２を備える点で、上記第１実施形態の捕獲成果報告システム１００と相違する。
【０１４４】
第２実施形態では、図１０に示すように、情報管理装置１０２の記憶部１２２には、捕獲成果報告プログラム（アプリケーション）１２２ａがインストールされている。捕獲成果報告プログラム１２２ａは、たとえば、光ディスクやＵＳＢメモリなどの可搬型記憶媒体から読み出すか、または、ネットワーク３（図１参照）を介してダウンロードすることにより、記憶部１２２に保存することが可能である。
【０１４５】
情報管理装置１０２の制御部１２４は、捕獲成果報告プログラム１２２ａを実行することにより、捕獲成果報告処理を実行する制御手段１２４ａとして機能する。
【０１４６】
具体的には、制御部１２４は、捕獲成果報告端末１から受信した処理前画像Ｒ１と処理後画像Ｒ２とに基づいて、画像認識処理により、処理前画像Ｒ１の捕獲個体Ｗと、処理後画像Ｒ２の捕獲個体Ｗとが、同じ個体であるか否かを判断するように構成されている。また、制御部１２４は、同じ個体であると判断される場合には、処理前画像Ｒ１と処理後画像Ｒ２とが有効であると判断するように構成されている。また、制御部１２４は、同じ個体ではないと判断される場合には、処理前画像Ｒ１と処理後画像Ｒ２とが無効であると判断するように構成されている。
【０１４７】
つまり、第２実施形態では、捕獲成果報告端末１に加えて、情報管理装置１０２も、処理前画像Ｒ１および処理後画像Ｒ２が有効であるか否かを判断するように構成されている。
【０１４８】
なお、処理前画像Ｒ１および処理後画像Ｒ２が無効であると判断される場合、情報管理装置１０２から捕獲成果報告端末１に、無効であることが通知されてもよいし、無効であることを確認した被報告者Ｃから捕獲作業者Ｏに、無効であることが通知されてもよい。
【０１４９】
また、第２実施形態では、情報管理装置１０２は、捕獲成果報告端末１よりも高精度に捕獲個体Ｗの同一性を照合する処理を行うように構成されている。これにより、捕獲成果報告端末１による捕獲個体Ｗの同一性を照合する処理を比較的緩い水準で行うことができるので、捕獲作業場Ｆにおける作業の効率化を図ることができる。また、情報管理装置２による捕獲個体Ｗの同一性を照合する処理を比較的厳しい水準で行うことができるので、捕獲作業場Ｆにおける作業の効率化を図りつつ、不正な報告が行われることを抑制することが可能である。
【０１５０】
また、第２実施形態では、情報管理装置１０２は、捕獲成果報告端末１から受信した捕獲個体Ｗの画像に基づいて、記憶部１２２に保存されている過去の捕獲個体Ｗの画像から、類似度が高い捕獲個体Ｗの画像を抽出するように構成されている。具体的には、情報管理装置１０２は、捕獲成果報告端末１から受信した捕獲個体Ｗの画像に関連付けられた時刻情報、位置情報、作業者情報および端末情報に基づいて、捕獲成果報告端末１から受信した捕獲個体Ｗの画像が、画像の抽出処理を行う画像であるか否かを判断するように構成されている。つまり、情報管理装置１０２は、捕獲成果報告端末１から受信した捕獲個体Ｗの画像に関連付けられた時刻情報、位置情報、作業者情報および端末情報に基づいて、不正な報告であると疑われるか否かを判断するように構成されている。情報管理装置１０２は、捕獲成果報告端末１から受信した捕獲個体Ｗの画像が、画像の抽出処理を行う画像であると判断される場合（不正な報告である可能性が高い場合）、記憶部１２２に保存されている過去の捕獲個体Ｗの画像からの類似度が高い捕獲個体Ｗの画像の抽出処理を行うように構成されている。また、情報管理装置１０２は、捕獲成果報告端末１から受信した捕獲個体Ｗの画像が、画像の抽出処理を行う画像ではないと判断される場合（不正な報告である可能性が低い場合）、記憶部１２２に保存されている過去の捕獲個体Ｗの画像からの類似度が高い捕獲個体Ｗの画像の抽出処理を行わないように構成されている。
【０１５１】
なお、第２実施形態のその他の構成は、上記第１実施形態と同様である。
【０１５２】
（第２実施形態の効果）
第２実施形態では、以下のような効果を得ることができる。
【０１５３】
第２実施形態では、上記のように、情報管理装置１０２および捕獲成果報告端末１を、処理前画像Ｒ１と処理後画像Ｒ２とに基づいて、処理前画像Ｒ１の捕獲個体Ｗと、処理後画像Ｒ２の捕獲個体Ｗとが、同じ個体であるか否かを判断するように構成する。これにより、捕獲個体Ｗの画像が送信された情報管理装置１０２において、処理前後の画像間における捕獲個体Ｗの同一性を照合する処理を行うので、情報管理装置１０２においてこの処理を行うことを捕獲作業者Ｏに予め知らせておくことにより、抑止効果を働かせることができる。
【０１５４】
また、第２実施形態では、上記のように、情報管理装置１０２を、捕獲成果報告端末１から受信した捕獲個体Ｗの画像に基づいて、過去の捕獲個体Ｗの画像から、類似度が高い捕獲個体Ｗの画像を抽出するように構成されている。これにより、捕獲個体Ｗの画像が捕獲個体Ｗを使い回しているものである場合に、情報管理装置１０２により、不正な報告が行われていることを検出することができる。その結果、被報告者Ｃは、情報管理装置１０２の検出結果に基づいて、捕獲個体Ｗの画像が捕獲個体Ｗを使い回しているものかどうかをより容易に判断することができる。また、情報管理装置１０２により、不正な報告が行われていることを検出することができるので、捕獲作業者Ｏに不正を行うことを躊躇させる抑止効果がより効果的に働く。
【０１５５】
なお、第２実施形態のその他の効果は、上記第１実施形態と同様である。
【０１５６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１５７】
たとえば、上記第１および第２実施形態では、時刻情報、位置情報、作業者情報および端末情報と、撮像部による捕獲個体の画像とを関連付けた報告情報が、情報管理装置に送信される例を示したが、本発明はこれに限られない。本発明では、報告情報は、時刻情報および位置情報のうちの少なくともいずれか一方と、撮像部による捕獲個体の画像とを関連付けた情報であればよく、必ずしも、時刻情報および位置情報のうちのいずれか他方、作業者情報並びに端末情報と、撮像部による捕獲個体の画像とを関連付けた情報でなくてもよい。
【０１５８】
また、上記第１および第２実施形態では、捕獲作業者の捕獲作業開始時刻および捕獲作業者の捕獲作業終了時刻が、情報管理装置に送信される例を示したが、本発明はこれに限られない。本発明では、捕獲作業者の捕獲作業開始時刻および捕獲作業者の捕獲作業終了時刻が、情報管理装置に送信されなくてもよい。
【０１５９】
また、上記第１および第２実施形態では、捕獲作業者の捕獲作業開始からの移動軌跡が、情報管理装置に送信される例を示したが、本発明はこれに限られない。本発明では、捕獲作業者の捕獲作業開始からの移動軌跡が、情報管理装置に送信されなくてもよい。
【０１６０】
また、上記第１および第２実施形態では、情報管理装置と通信可能と判断された場合に、改ざんできない方法で保存された情報が、捕獲成果報告端末から情報管理装置に自動で送信される例を示したが、本発明はこれに限られない。本発明では、改ざんできない方法で保存された情報が、捕獲作業者の操作により、捕獲成果報告端末から情報管理装置に手動で送信されてもよい。
【０１６１】
また、上記第１および第２実施形態では、捕獲個体の画像が、所定の処理を行う前の処理前画像と、所定の処理を行った後の処理後画像とを含む例を示したが、本発明はこれに限られない。本発明では、捕獲個体に所定の処理を必ずしも行う必要は無い。つまり、捕獲個体の画像が、捕獲後に処理を行っていない画像であってもよい。
【０１６２】
また、上記第１実施形態では、捕獲成果報告端末のみで処理前画像の捕獲個体と処理後画像の捕獲個体とが同じ個体であるか否かを判断する例を示し、第２実施形態では、捕獲成果報告端末および情報管理装置の両方で処理前画像の捕獲個体と処理後画像の捕獲個体とが同じ個体であるか否かを判断する例を示したが、本発明はこれに限られない。本発明では、情報管理装置のみで処理前画像の捕獲個体と処理後画像の捕獲個体とが同じ個体であるか否かを判断してもよい。
【０１６３】
また、上記第１および第２実施形態では、捕獲成果報告端末のみで、画像分析により認識された捕獲個体の全体かまたは捕獲個体の特定部位が条件を満たしているか否かを判断する例を示したが、本発明はこれに限られない。本発明では、情報管理装置のみで、画像分析により認識された捕獲個体の全体かまたは捕獲個体の特定部位が条件を満たしているか否かを判断してもよい。また、捕獲成果報告端末および情報管理装置の両方で、画像分析により認識された捕獲個体の全体かまたは捕獲個体の特定部位が条件を満たしているか否かを判断してもよい。
【０１６４】
また、上記第１および第２実施形態では、捕獲成果報告端末が、撮像条件が互いに異なる複数の捕獲個体の画像に基づいて、複数の捕獲個体の画像の各々の捕獲個体が、同じ個体であるか否かを判断する例を示したが、本発明はこれに限られない。本発明では、捕獲成果報告端末が、撮像条件が同じである複数の捕獲個体の画像に基づいて、複数の捕獲個体の画像の各々の捕獲個体が、同じ個体であるか否かを判断してもよい。
【０１６５】
また、上記第１および第２実施形態では、所定の処理を行う動画が、情報管理装置に送信される例を示したが、本発明はこれに限られない。本発明では、所定の処理を行う動画が、情報管理装置に送信されなくてもよい。
【０１６６】
また、上記第２実施形態では、情報管理装置のみで、捕獲個体の画像に基づいて、過去の捕獲個体の画像から、類似度が高い捕獲個体の画像を抽出する例を示したが、本発明はこれに限られない。本発明では、捕獲成果報告端末のみで、捕獲個体の画像に基づいて、過去の捕獲個体の画像から、類似度が高い捕獲個体の画像を抽出してもよい。また、捕獲成果報告端末および情報管理装置の両方で、捕獲個体の画像に基づいて、過去の捕獲個体の画像から、類似度が高い捕獲個体の画像を抽出してもよい。
【０１６７】
また、上記第２実施形態では、情報管理装置が、捕獲成果報告端末から受信した捕獲個体の画像に関連付けられた時刻情報、位置情報、作業者情報および端末情報に基づいて、捕獲成果報告端末から受信した捕獲個体の画像が、画像の抽出処理を行う画像であるか否かを判断する例を示したが、本発明はこれに限られない。本発明では、情報管理装置が、捕獲成果報告端末から受信した捕獲個体の画像に関連付けられた時刻情報、位置情報、作業者情報および端末情報に基づいて、捕獲成果報告端末から受信した捕獲個体の画像が、画像の抽出処理を行う画像であるか否かを判断しなくてもよい。たとえば、情報管理装置が、捕獲成果報告端末から受信した捕獲個体の画像の全件について、画像の抽出処理を行ってもよい。
【符号の説明】
【０１６８】
１  捕獲成果報告端末（コンピュータ）
２、１０２  情報管理装置
１２  撮像部
１３  通信部
１６ａ  捕獲成果報告プログラム
１７  制御部
１７ａ  制御手段
１００、２００  捕獲成果報告システム
Ｗ  捕獲個体（野生動物）
Ｏ  捕獲作業者
Ｒ  報告情報
Ｒ１  処理前画像
Ｒ２  処理後画像
【図１】
2019066992.tif 000003
【図２】
2019066992.tif 000004
【図３】
2019066992.tif 000005
【図４】
2019066992.tif 000006
【図５】
2019066992.tif 000007
【図６】
2019066992.tif 000008
【図７】
2019066992.tif 000009